(57)【要約】【課題】  ＭＡＣフレームにより伝送する伝送制御システム及び伝送制御方法に関し、検証が容易で、簡易なオートネゴシエーション機能を実現する。【解決手段】  伝送装置１Ａ，１Ｂは、伝送路６を介して対向する伝送装置との間の送受信によるリンク断検出機能を含む終端部２と、伝送装置１Ａ，１Ｂ間で終端部２を介して送受信するＭＡＣフレームの終端処理を行うＭＡＣフレーム終端部３と、終端部２及びＭＡＣフレーム終端部３を制御して、終端部２からのリンク断検出の情報に従ったリンク断情報を少なくとも含むオートネゴシエーション用の情報を、ＭＡＣフレーム終端部３に於いてＭＡＣフレームに設定して、対向伝送装置に送出させる制御を行い、且つＭＡＣフレーム終端部２により受信処理したオートネゴシエーション用の情報に従った処理を行う制御処理部５とを備えている。【選択図】      図１
2005086729.tif 000002
【特許請求の範囲】
【請求項１】
伝送路を介して接続された伝送装置間でＭＡＣフレームによりデータを伝送する伝送制御システムに於いて、
前記伝送装置は、前記伝送路を介して対向する伝送装置との間の送受信によるリンク断検出機能を含む終端部と、
前記伝送装置間で前記終端部を介して送受信するＭＡＣフレームの終端処理を行うＭＡＣフレーム終端部と、
前記終端部及び前記ＭＡＣフレーム終端部を制御して、前記終端部からのリンク断検出の情報に従ったリンク断情報を少なくとも含むことができるオートネゴシエーション用の情報を、前記ＭＡＣフレーム終端部に於いて前記ＭＡＣフレームに設定して、対向する前記伝送装置に送出させる制御を行い、且つ前記ＭＡＣフレーム終端部により受信処理した前記オートネゴシエーション用の情報に従った処理を行う制御処理部と
を備えたことを特徴とする伝送制御システム。
【請求項２】
前記制御処理部は、前記ＭＡＣフレームのタイプ／レングスの領域に、少なくとも前記リンク断情報を含むことができるオートネゴシエーション用の情報を設定して送出するように前記ＭＡＣフレーム終端部を制御する構成を有することを特徴とする請求項１記載の伝送制御システム。
【請求項３】
前記制御処理部は、前記ＭＡＣフレームのタイプ／レングスの領域に、少なくとも前記リンク断情報を含むことができるオートネゴシエーション用の情報を設定し、且つ、前記オートネゴシエーション用の情報の利用種別を決めるクラス情報を設定して送出するように前記ＭＡＣフレーム終端部を制御し、前記クラス情報が対向する伝送装置間で一致しない時に最も低いクラスに設定する制御を行う構成を有することを特徴とする請求項１記載の伝送制御システム。
【請求項４】
前記制御処理部は、前記ＭＡＣフレームのタイプ／レングスの領域を固定値のコードとして、前記ＭＡＣフレームの情報フィールドに前記リンク断情報を少なくとも含むことができるオートネゴシエーション用の情報を設定し、対向する前記伝送装置に送出するように前記ＭＡＣフレーム終端部を制御する構成を有することを特徴とする請求項１記載の伝送制御システム。
【請求項５】
前記制御処理部は、前記ＭＡＣフレームのタイプ／レングスの領域を固定値のコードとして、前記ＭＡＣフレームの情報フィールドに前記リンク断情報を少なくとも含むことができるオートネゴシエーション用の情報を設定し、且つ前記オートネゴシエーション用の情報の利用種別を決めるクラス情報を設定して送出するように前記ＭＡＣフレーム終端部を制御し、前記クラス情報が対向する伝送装置間で一致しない時に最も低いクラスに設定する制御を行う構成を有することを特徴とする請求項４記載の伝送制御システム。
【請求項６】
前記制御処理部は、前記ＭＡＣフレームの情報フィールドに、オートネゴシエーション用のコードと前記リンク断情報を少なくとも含むことができるオートネゴシエーション用の情報とを設定し、対向する前記伝送装置に送出するように前記ＭＡＣフレーム終端部を制御する構成を有することを特徴とする請求項１記載の伝送制御システム。
【請求項７】
前記制御処理部は、前記ＭＡＣフレームの情報フィールドに、オートネゴシエーション用のコードと前記リンク断情報を少なくとも含むことができるオートネゴシエーション用の情報とを設定し、且つ前記オートネゴシエーション用の情報の利用種別を決めるクラス情報を設定して、対向する前記伝送装置に送出するように前記ＭＡＣフレーム終端部を制御する構成を有することを特徴とする請求項６記載の伝送制御システム。
【請求項８】
伝送路により接続された伝送装置間でＭＡＣフレームによりデータを伝送する伝送制御方法に於いて、
対向する伝送装置との間のリンク断検出により、前記ＭＡＣフレームに設定したオートネゴシエーション用の情報にリンク断情報を設定して、対向する伝送装置に送出する過程を含む
ことを特徴とする伝送制御方法。
【請求項９】
前記ＭＡＣフレームのタイプ／レングスの領域に、オートネゴシエーション用のコードと、少なくとも前記リンク断情報を含むオートネゴシエーション用の情報とを設定して、対向する前記伝送装置に送出する過程を含むことを特徴とする請求項８記載の伝送制御方法。
【請求項１０】
前記ＭＡＣフレームのタイプ／レングスの領域に、オートネゴシエーション用のコードと、少なくとも前記リンク断情報を含むことができるオートネゴシエーション用の情報とを設定し、且つ前記オートネゴシエーション用の情報の利用種別を決めるクラス情報を設定して、対向する前記伝送装置に送出し、該クラス情報が対向する伝送装置間で一致しない時は、低い方のクラス情報に従った前記オートネゴシエーション用の情報により制御を行う過程を含むことを特徴とする請求項８記載の伝送制御方法。
【請求項１１】
前記ＭＡＣフレームのタイプ／レングスの領域に固定値を設定し、該ＭＡＣフレームの情報フィールドに前記オートネゴシエーション用の情報を設定して、対向する前記伝送装置に送出する過程を含むことを特徴とする請求項８記載の伝送制御方法。
【請求項１２】
前記ＭＡＣフレームの情報フィールドに、オートネゴシエーション用の利用種別を決めるクラス情報を含むオートネゴシエーション用の情報を設定して、対向する前記伝送装置に送出し、前記クラス情報が対向する伝送装置間で一致しない時は、低い方のクラス情報に従った前記オートネゴシエーション用の情報により制御を行う過程を含むことを特徴とする請求項１１記載の伝送制御方法。
【請求項１３】
前記ＭＡＣフレームの情報フィールドに、オートネゴシエーション用のコードと前記オートネゴシエーション用の情報とを設定して、対向する前記伝送装置に送出する過程を含むことを特徴とする請求項８記載の伝送制御方法。
【請求項１４】
前記ＭＡＣフレームの情報フィールドに、オートネゴシエーション用のコードと前記オートネゴシエーション用の情報とを設定し、且つ前記オートネゴシエーション用の情報の利用種別を決めるクラス情報を設定して、対向する前記伝送装置に送出し、前記クラス情報が対向する伝送装置間で一致しない時は、低い方のクラス情報に従った前記オートネゴシエーション用の情報により制御を行う過程を含むことを特徴とする請求項１３記載の伝送制御方法。
【発明の詳細な説明】
【技術分野】
【０００１】
本発明は、伝送路を介して対向接続された伝送装置間の伝送制御を行う伝送制御システム及び伝送制御方法に関する。
【背景技術】
【０００２】
伝送路を介して対向接続されたルータ等の伝送装置間で、ＩＥＥＥ８０２．３準拠のオートネゴシエーション機能により、リンク断情報の転送、通信モードの交渉、フロー制御の交渉、リモートフォルト通知等の機能をサポートする手段が知られており、その機能を実現する為のインタフェース装置が提供されている。
【０００３】
このオートネゴシエーション機能として、例えば、１Ｇｂｐｓの伝送速度の１０００ＢＡＳＥ−Ｘの場合、図１５に示すコンフィギュレーションデータを伝送装置間で送受信するものである。同図に於いて、ｒｓｖｄはリザーブビット、ＦＤは通信モードの全二重、ＨＤは半二重を示し、ＰＳ１，ＰＳ２はフロー制御サポート状態の対称フローと非対称フローとを示し、ＲＦ１，ＲＦ２はリンク（ＬＩＮＫ）のエラー発生情報で、００はリンク正常、０１はオフライン、１０はリンク断（ＬＩＮＫ  ＦＡＵＬＴ）、１１はオートネゴシエーションエラーを示す。又Ａｃｋは正常受信応答（Ｃｏｎｆｉｇ−Ｒｅｇの正常受信応答）、ＮＰは拡張ビットを示す。従って、前述のように、通信モードの交渉、フロー制御の交渉、リンク断の通知等を行うことができる。
【０００４】
又前述のオートネゴシエーション機能を有するインタフェース装置は、半導体集積回路（ＬＳＩ）化されて提供されている場合が一般的であり、このインタフェース装置を実装した伝送装置間を伝送路により接続することにより、伝送開始時に、コンフィギュレーションデータの送受信によるネゴシエーションによって、双方が最も早い伝送速度で動作可能となるように、自動的に設定することができる。このオートネゴシエーションを正常に行った後に、ＭＡＣ（Ｍｅｄｉａ  Ａｃｃｅｓｓ  Ｃｏｎｔｒｏｌ）フレームにより、主信号の伝送が開始される。
【０００５】
又複数の伝送装置をループ伝送路により順次接続した伝送システムに於いて、オートネゴシエーションではないが、回線断を検出した時、その回線断情報を伝送フレーム中に識別フラグを付加して通知する手段が知られている（例えば、特許文献１参照）。又ＳＤＨ方式に於いて、回線断を検出してフレームのセクションオーバーヘッドの未使用又は未定義のバイトを利用して伝送する監視制御方式が知られている（例えば、特許文献２参照）。又光回線に於ける回線断の検出による回線断検出情報を前述のフレームのセクションオーバーヘッドの未使用又は未定義のバイトを利用して伝送し、受信した回線断検出情報と送信した回線断検出情報とを比較し、同一内容の場合には、光回線断による反射で折り返し受信した回線断検出情報と判定する伝送制御方式が知られている（例えば、特許文献３参照）。
【特許文献１】特開昭６３−２９００３９号公報
【特許文献１】特開平５−３１６１３３号公報
【特許文献１】特開平７−２５４８９０号公報
【発明の開示】
【発明が解決しようとする課題】
【０００６】
ＩＥＥＥ８０２．３準拠のオートネゴシエーション機能は、前述のコンフィギュレーションデータの単純な送受信処理だけではなく、複雑な手順を含むものである。従って、その手順の複雑さから、集積回路（ＬＳＩ）化されたインタフェース装置は、メーカによって多少の相違があり、互換性に欠けるものである。その為に、異なるメーカのインタフェース装置を実装した伝送装置間では、オートネゴシエーションを正常に実行することができない場合が多くなる。このオートネゴシエーションを正常に実行できない場合は、それ以降のＭＡＣフレームによる主信号の伝送を開始できないものである。
【０００７】
そこで、インタフェース装置の再設計を行うことになるが、半導体集積回路の再設計に要する期間が数カ月を要することになり、ネットワークの運用に支障を来すことになる。その為、オートネゴシエーション機能を無効とする設定を行うことにより、ＭＡＣフレームによる主信号の伝送を可能としているのが実情である。
【０００８】
このように、オートネゴシエーション機能を無効とすることにより、メーカが異なるインタフェース装置をそれぞれ実装した伝送装置間でＭＡＣフレームによる主信号の伝送を開始することが可能となるが、リンク断の検出情報等を通知することができなくなり、障害発生時の復旧が長引く問題がある。
【０００９】
本発明は、互換性が高く、且つ検証が容易な簡易オートネゴシエーション機能を実現することを目的とする。
【課題を解決するための手段】
【００１０】
本発明の伝送制御システムは、伝送路を介して接続された伝送装置間でＭＡＣフレームによりデータを伝送する伝送制御システムに於いて、前記伝送装置は、前記伝送路を介して対向する伝送装置との間の送受信によるリンク断検出機能を含む終端部と、前記伝送装置間で前記終端部を介して送受信するＭＡＣフレームの終端処理を行うＭＡＣフレーム終端部と、前記終端部及び前記ＭＡＣフレーム終端部を制御して、前記終端部からのリンク断検出の情報に従ったリンク断情報を少なくとも含むことができるオートネゴシエーション用の情報を、前記ＭＡＣフレーム終端部に於いて前記ＭＡＣフレームに設定して、対向する前記伝送装置に送出させる制御を行い、且つ前記ＭＡＣフレーム終端部により受信処理した前記オートネゴシエーション用の情報に従った処理を行う制御処理部とを備えている。
【００１１】
又前記制御処理部は、前記ＭＡＣフレームのタイプ／レングスの領域に、少なくとも前記リンク断情報を含むことができるオートネゴシエーション用の情報を設定して送出するように前記ＭＡＣフレーム終端部を制御する構成を有する。又前記制御処理部は、前記ＭＡＣフレームのタイプ／レングスの領域に、少なくとも前記リンク断情報を含むことができるオートネゴシエーション用の情報を設定し、且つ、前記オートネゴシエーション用の情報の利用種別を決めるクラス情報を設定して送出するように前記ＭＡＣフレーム終端部を制御し、前記クラス情報が対向する伝送装置間で一致しない時に最も低いクラスに設定する制御を行う構成を有する。
【００１２】
又前記制御処理部は、前記ＭＡＣフレームのタイプ／レングスの領域を固定値のコードとして、前記ＭＡＣフレームの情報フィールドに前記リンク断情報を少なくとも含むことができるオートネゴシエーション用の情報を設定し、対向する前記伝送装置に送出するように前記ＭＡＣフレーム終端部を制御する構成を有する。又前記制御処理部は、前記ＭＡＣフレームのタイプ／レングスの領域を固定値のコードとして、前記ＭＡＣフレームの情報フィールドに前記リンク断情報を少なくとも含むことができるオートネゴシエーション用の情報を設定し、且つ前記オートネゴシエーション用の情報の利用種別を決めるクラス情報を設定して送出するように前記ＭＡＣフレーム終端部を制御し、前記クラス情報が対向する伝送装置間で一致しない時に最も低いクラスに設定する制御を行う構成を有する。
【００１３】
又前記制御処理部は、前記ＭＡＣフレームの情報フィールドに、オートネゴシエーション用のコードと前記リンク断情報を少なくとも含むことができるオートネゴシエーション用の情報とを設定し、対向する前記伝送装置に送出するように前記ＭＡＣフレーム終端部を制御する構成を有する。又前記制御処理部は、前記ＭＡＣフレームの情報フィールドに、オートネゴシエーション用のコードと前記リンク断情報を少なくとも含むことができるオートネゴシエーション用の情報とを設定し、且つ前記オートネゴシエーション用の情報の利用種別を決めるクラス情報を設定して、対向する前記伝送装置に送出するように前記ＭＡＣフレーム終端部を制御する構成を有する。
【００１４】
又本発明の伝送制御方法は、伝送路により接続された伝送装置間でＭＡＣフレームによりデータを伝送する伝送制御方法に於いて、対向する伝送装置との間のリンク断検出により、前記ＭＡＣフレームに設定したオートネゴシエーション用の情報にリンク断情報を設定して、対向する伝送装置に送出する過程を含むものである。
【００１５】
又前記ＭＡＣフレームのタイプ／レングスの領域に、オートネゴシエーション用のコードと、少なくとも前記リンク断情報を含むオートネゴシエーション用の情報とを設定して、対向する前記伝送装置に送出する過程を含むものである。又前記ＭＡＣフレームのタイプ／レングスの領域に、オートネゴシエーション用のコードと、少なくとも前記リンク断情報を含むことができるオートネゴシエーション用の情報とを設定し、且つ前記オートネゴシエーション用の情報の利用種別を決めるクラス情報を設定して、対向する前記伝送装置に送出し、該クラス情報が対向する伝送装置間で一致しない時は、低い方のクラス情報に従った前記オートネゴシエーション用の情報により制御を行う過程を含むものである。
【００１６】
又前記ＭＡＣフレームのタイプ／レングスの領域に固定値を設定し、該ＭＡＣフレームの情報フィールドに前記オートネゴシエーション用の情報を設定して、対向する前記伝送装置に送出する過程を含むものである。又前記ＭＡＣフレームの情報フィールドに、オートネゴシエーション用の利用種別を決めるクラス情報を含むオートネゴシエーション用の情報を設定して、対向する前記伝送装置に送出し、前記クラス情報が対向する伝送装置間で一致しない時は、低い方のクラス情報に従った前記オートネゴシエーション用の情報により制御を行う過程を含むものである。
【００１７】
又前記ＭＡＣフレームの情報フィールドに、オートネゴシエーション用のコードと前記オートネゴシエーション用の情報とを設定して、対向する前記伝送装置に送出する過程を含むものである。又前記ＭＡＣフレームの情報フィールドに、オートネゴシエーション用のコードと前記オートネゴシエーション用の情報とを設定し、且つ前記オートネゴシエーション用の情報の利用種別を決めるクラス情報を設定して、対向する前記伝送装置に送出し、前記クラス情報が対向する伝送装置間で一致しない時は、低い方のクラス情報に従った前記オートネゴシエーション用の情報により制御を行う過程を含むものである。
【発明の効果】
【００１８】
半導体集積回路化されたインタフェース装置のメーカが相違しても、ＩＥＥＥ８０２．３準拠のオートネゴシエーション機能を無効とすることにより、伝送装置間でＭＡＣフレームによるデータの伝送を直ちに開始することが可能となる。又伝送装置間の例えばリンク断情報は、ＭＡＣフレームを用いて伝送することにより、伝送障害発生を対向伝送装置に通知することが可能となる。又ＭＡＣフレームを用いてオートネゴシエーション用の情報を伝送することができるから、従来のコンフィギュレーションデータによるオートネゴシエーション処理とほぼ同様な設定が可能となる。
【発明を実施するための最良の形態】
【００１９】
本発明の伝送制御システムは、図１を参照して説明すると、伝送装置１Ａ，１Ｂは、伝送路６を介して対向する伝送装置との間の送受信によるリンク断検出機能を含む終端部２と、伝送装置１Ａ，１Ｂ間で終端部２を介して送受信するＭＡＣフレームの終端処理を行うＭＡＣフレーム終端部３と、終端部２及びＭＡＣフレーム終端部３を制御して、終端部２からのリンク断検出の情報に従ったリンク断情報を少なくとも含むことができるオートネゴシエーション用の情報を、ＭＡＣフレーム終端部３に於いてＭＡＣフレームに設定して、対向する伝送装置に送出させる制御を行い、且つＭＡＣフレーム終端部２により受信処理したオートネゴシエーション用の情報に従った処理を行う制御処理部５と、ＭＡＣフレームによる主信号を処理する信号処理部４とを備えている。
【００２０】
又本発明の伝送制御方法は、対向する伝送装置１Ａ，１Ｂとの間のリンク断検出時に、ＭＡＣフレームに設定したオートネゴシエーション用の情報としてリンク断情報を設定して、対向する伝送装置に送出する過程を含むものである。
【実施例１】
【００２１】
図１は、本発明の実施例１の説明図であり、１Ａ，１Ｂは伝送装置、２は終端部、３はＭＡＣフレーム終端部、４は信号処理部、５は制御処理部、６は伝送路を示す。伝送装置１Ａ，１Ｂは同一の構成を有する場合を示し、従って、伝送装置１Ａの内部構成についてのみ図示している。
【００２２】
又伝送装置１Ａ，１Ｂは、例えば、前述の１０００ＢＡＳＥ−Ｘによるデータ伝送を行う構成を有するもので、終端部２は、物理層を終端し、前述のＩＥＥＥ８０２．３準拠のオートネゴシエーション機能は無効とするものである。従って、伝送装置１Ａ，１Ｂ間では、ＭＡＣフレームによる通信を直ちに開始することができる。又信号処理部４は、対向伝送装置との間で、ＭＡＣフレームによる主信号の処理を行うものである。
【００２３】
そして、本発明の実施例は、従来のＩＥＥＥ８０２．３準拠のオートネゴシエーション機能を無効とし、その代わりに、簡易オートネゴシエーション機能を、ＭＡＣフレーム終端部３と制御処理部５とにより実現するものである。尚、伝送装置１Ａ，１Ｂにはそれぞれ図示を省略した他の伝送装置や端末装置等が接続して伝送制御システムを構成することができる。
【００２４】
又終端部２は、伝送路６の障害発生を例えば受信レベル低下や同期パターン検出不可によりリンク断を検出する機能を備えているものであり、このようなリンク断を検出すると制御処理部５に通知する。このリンク断検出通知により、制御処理部５はＭＡＣフレーム終端部３を制御して、ＭＡＣフレームにオートネゴシエーション用の情報としてのリンク断情報を設定して対向伝送装置に通知する。対向伝送装置は、このＭＡＣフレームによるリンク断情報をＭＡＣフレーム終端部により抽出して制御処理部に通知し、この制御処理部の制御により、ＭＡＣフレーム終端部からのＭＡＣフレームの送信を停止する。又本発明の実施例に於いては、前述のオートネゴシエーション手順を実行することなく、ＭＡＣフレームの送受信を開始できるものであるから、制御処理部５は、ＭＡＣフレームに設定したオートネゴシエーション用の情報を用いて簡易オートネゴシエーションを実行することができる。
【００２５】
図２はＭＡＣフレームの説明図であり、７バイトのプリアンブル（ｐｒｅａｍｂｌｅ）と、フレーム開始記号（ＳＦＤ）と、６バイトの送信先アドレス（Ｄｅｓｔｉｎａｔｉｏｎ  Ａｄｄｒｅｓｓ）と、６バイトの送信元アドレス（Ｓｏｕｒｃｅ  Ａｄｄｒｅｓｓ）と、２バイトのタイプ／レングス（Ｔｙｐｅ／Ｌｅｎｎｇｔｈ）と、４６〜１５００バイトの情報フィールド（Ｉｎｆｏｍａｔｉｏｎ  Ｆｉｅｌｄ）と、４バイトのフレームチェックシーケンス（ＦＣＳ）とからなるものである。
【００２６】
この実施例１に於いては、２バイトのタイプ／レングスの領域に、オートネゴシエーション用の情報を設定するもので、前述の伝送装置１Ａの終端部２によりリンク断を検出した時に、制御処理部５によりＭＡＣフレーム終端部３を制御し、オートネゴシエーション用の情報としてリンク断情報を設定したＭＡＣフレームを形成して終端部２を介して、伝送装置１Ａから対向伝送装置１Ｂに送出する。それによって、対向伝送装置１Ｂは、伝送装置１Ａがリンク断を検出していることを判断する。
【００２７】
図３は、本発明の実施例１の簡易オートネゴシエーションで使用する主な情報の割当ビットを示すもので、このオートネゴシエーション用の情報を、ＭＡＣフレームのタイプ／レングスの２バイトの領域に設定する場合を示し、その先頭の４ビット１−１〜１−４を、簡易オートネゴシエーションコードとして、未使用のコードを割当てる。次の２ビット１−５，１−６はリザーブビットとし、次の２ビット１−７，１−８は対向装置リンク断情報に割当てる。この２ビットの対向装置リンク断情報は、００を正常、０１を簡易オートネゴシエーション異常（簡易ＡＮ異常）、１０を同期検出異常（ｓｙｎｃｌｏｓｓ）、１１を受信信号断又は受信信号レベル低下検出（ＬＯＳ）とすることができる。
【００２８】
又次の２ビット２−１，２−２をフロー制御情報に割当て、ビット２−１を対称フロー（ＰＳ１相当）、ビット２−２を非対称フロー（ＰＳ２相当）とし、次の２ビット２−３，２−４をリモートフォルト情報に割当て、００をリンク正常、０１をオフライン、１０をリンク断として、コンフィギュレーションデータのＲＦ１，ＲＦ２相当の情報とする。又次の４ビット２−５〜２―８をパリティ等の正常性確認情報に割当てる。
【００２９】
図１に於いて、伝送装置１Ａ，１Ｂは、図１５に示すコンフィギュレーションデータの送受信によるオートネゴシエーションを行わないように設定することにより、直ちに、ＭＡＣフレームによる通信を開始できるものであり、この通信開始時に、制御処理部５の制御により、図３に示すＭＡＣフレームのタイプ／レングスの領域の先頭４ビット１−１〜１−４を簡易オートネゴシエーションコードとし、例えば、ビット２−１，２−２を用いて、フロー制御情報を送受信して、簡易オートネゴシエーションを行うことができる。又リンク断検出時には、ビット１−７，１−８を用いてリンク断情報を通知することができる。従って、従来のオートネゴシエーションを無効に設定しても、リンク断情報等を転送することができる。
【実施例２】
【００３０】
図４は、本発明の実施例２の割当ビットの説明図であり、ＭＡＣフレームのタイプ／レングスの領域を用いる点は、前述の実施例１と同様であるが、クラス情報をビット１−５，１−６に割当て、例えば、００はクラス０、０１はクラス１、１０はクラス２、１１はクラス３とし、クラス０は、前述の簡易オートネゴシエーションも適用しない場合であり、又クラス１は、簡易オートネゴシエーションの対向装置リンク断情報の送信を行うクラスを示し、又クラス２は、対向装置リンク断情報とフロー制御情報との送受信を行うクラスを示し、クラス３は、クラス２に対して、更に、リモートフォルト情報を送受信するクラスを示す。
【００３１】
従って、対向して接続された伝送装置間で必要とする機能を、クラス情報により指定して簡易オートネゴシエーションを行うことができる。即ち、図１に示す制御処理部５によりＭＡＣフレーム終端部３を制御して、ＭＡＣフレームのタイプ／レングスの領域に簡易オートネゴシエーションの情報を付加し、終端部２から伝送路６を介して対向伝送装置へ送出し、このクラス情報を受信した伝送装置は、クラス情報が相互に一致しない場合、低い方のクラス（クラス０が最も低く、クラス３が最も高い）に設定することによって、対向伝送装置間の簡易オートネゴシエーションを実行することができる。
【実施例３】
【００３２】
図５は、本発明の実施例３の専用ＭＡＣフレームの説明図であり、ＭＡＣフレームの４６〜１５００バイトの情報フィールドを４６バイト構成とし、又送信先アドレス（ＤＡ）と送信元アドレス（ＳＡ）とは、例えば、ＭＡＣフレームの伝送制御に於けるポーズフレームと同様の固定値を挿入し、タイプ／レングスの領域に、ＭＡＣ制御フレーム値の０ｘ８８０８又は空き値等の固定値を挿入し、４６バイトの情報フィールドの先頭４バイトを簡易オートネゴシエーションデータとし、その中の先頭２バイトをポーズフレームの場合と同様の例えば０ｘ００−０２を挿入し、次の２バイトに、対向伝送装置のリンク断情報を割当てる。そして、残りの４２バイトはパディング（ＰＡＤ）とした専用ＭＡＣフレームによって、オートネゴシエーション用の情報のリンク断情報を伝送する場合を示す。
【００３３】
図１に示す伝送装置に於いては、終端部２により対向伝送装置からの信号を受信し、光信号の場合や電気信号の場合の信号レベルが所定値以下に低下（ＬＯＳ）の状態、又は伝送エラーによる同期パターン検出不可（ＳＹＮＣ  ＬＯＳ）を検出すると、制御処理部５に通知する。制御処理部５はＭＡＣフレーム終端部３を制御して、簡易オートネゴシエーションデータの中の２バイトに割当てたビットにより、リンク断情報を付加した図５に示す専用ＭＡＣフレームを形成して、終端部２を介して対向伝送装置へ送出する。この専用ＭＡＣフレームを受信した対向伝送装置は、専用ＭＡＣフレームを制御処理部に於いて認識し、情報フィールドの簡易オートネゴシエーションデータを解析して、リンク断情報が含まれている場合は、ＭＡＣフレームによる主信号の送信を停止する等の処理を行うことになる。
【００３４】
図６は、本発明の実施例３の割当ビットの説明図であり、図５に於ける専用ＭＡＣフレームの簡易オートネゴシエーションデータの２バイトについて、図３に示す場合と同様な簡易オートネゴシエーションのビットを割当てる場合を示している。従って、オートネゴシエーション用の情報として、リンク断情報のみでなく、フロー制御情報やリモートフォルト情報を送出してオートネゴシエーションを実施することができる。
【実施例４】
【００３５】
図７は、本発明の実施例４の割当ビットの説明図であり、図６に示す専用ＭＡＣフレームについて、図４に示す場合と同様にクラス情報を付加した場合を示す。このクラス情報は、図４に示す場合と同様なクラス０〜クラス３の何れかを指定するものである。即ち、簡易オートネゴシエーションデータのビット１−５，１−６により、００はクラス０、０１はクラス１、１０はクラス２、１１はクラス３とし、クラス０は、前述の簡易オートネゴシエーションも適用しない場合であり、又クラス１は、簡易オートネゴシエーションの対向装置リンク断情報の送受信を可能とするクラスを示し、又クラス２は、対向装置リンク断情報とフロー制御情報との送受信を可能とするクラスを示し、クラス３は、クラス２の機能に加えて、更に、リモートフォルト情報の送受信も可能とするクラスを示す。従って、簡易オートネゴシエーション用の専用ＭＡＣフレームを用いて、対向伝送装置間のフロー制御やリンク断情報の送受信が可能となる。
【実施例５】
【００３６】
図８は、本発明の実施例５のＭＡＣフレームの説明図であり、標準のＭＡＣフレームのタイプ／レングスの領域の後に、２バイトの簡易オートネゴシエーションデータを付加して、リンク断情報等を対向伝送装置へ伝送することができる。即ち、従来のオートネゴシエーション機能を無効としても、ＭＡＣフレームにより、オートネゴシエーション用の情報のリンク断情報を対向伝送装置へ伝送することができる。
【００３７】
図９は、本発明の実施例５の割当ビットの説明図であり、ＭＡＣフレームの中に付加した２バイトの簡易オートネゴシエーションデータに、前述の図３又は図６に示す場合と同様の対向装置リンク断情報、フロー制御情報、リモートフォルト情報、パリティ等の正常性確認情報を設定できるようにビットを割当てた場合を示す。
【実施例６】
【００３８】
図１０は、本発明の実施例６の割当ビットの説明図であり、図９に示す簡易オートネゴシエーションデータについて、図４又は図７に示すように、簡易オートネゴシエーションデータのビット１−５，１−６によりクラスを設定する場合を示し、００はクラス０、０１はクラス１、１０はクラス２、１１はクラス３とし、クラス０は、簡易オートネゴシエーションも適用しない場合であり、又クラス１は、簡易オートネゴシエーションの対向装置リンク断情報の送受信を可能とするクラスを示し、又クラス２は、対向装置リンク断情報とフロー制御情報との送受信を可能とするクラスを示し、クラス３は、クラス２の機能に加えて、更に、リモートフォルト情報の送受信も可能とするクラスを示す。従って、制御処理部５（図１参照）の制御により、対向伝送装置間で、ＭＡＣフレームを用いて、相互に必要とする機能を設定することができる。
【実施例７】
【００３９】
図１１は、本発明の実施例７のリンク断情報の説明図であり、前述の１０００ＢＡＳＥ−Ｘによる１Ｇｂｐｓの伝送速度のＭＡＣフレームの伝送時には、１２バイトのアイドルデータ（Ｉｄｌｅ）を伝送するフレーム間ギャップＩＦＧを介在させるものであるから、このフレーム間ギャップＩＦＧを利用し、図示のように、オートネゴシエーション用の情報に中のリンク断情報を１バイトの特殊符号Ａとして対向して伝送装置に伝送する。従って、ＩＥＥＥ８０２．３準拠によるオートネゴシエーション機能を無効にして、対向伝送装置間で直ちにＭＡＣフレームによる伝送を開始するシステムとした場合に於いても、伝送装置間でリンク断情報を伝送することができる。尚、エンコードは、８Ｂ／１０Ｂ或いは４Ｂ／５Ｂ等の符号変換を適用しているから、未使用コードが存在するものである。その未使用コードの一つを利用して、前述の特殊符号Ａとすることができる。
【００４０】
図１２は、本発明の実施例７の説明図であり、１１Ａ，１１Ｂは伝送装置、１２は終端部、１３はＭＡＣフレーム終端部、１４は信号処理部、１５は制御処理部、１６は特殊符号処理部を示す。伝送装置１１Ａ，１１Ｂは同一の構成を有する場合を示し、従って、伝送装置１１Ａの内部構成についてのみ図示している。
【００４１】
基本的には図１に示す伝送装置の構成と同様であるが、制御処理部１５に、前述の特殊符号Ａを生成し、又受信した特殊符号Ａを識別する特殊符号処理部１６の機能を備えている。前述のように、終端部１２に於いて、光信号又は電気信号の受信レベルの所定値以下の低下の検出（ＬＯＳ）や、同期パターン検出不可（ＳＹＮＣ  ＬＯＳ）等の場合に、制御処理部１５に通知する。制御処理部１５は、特殊符号処理部１６に、リンク断情報を示す特殊符号Ａを生成し、図１１に示すように、フレーム間ギャップ（ＩＦＧ）に、特殊符号Ａを送出するように、終端部１２を制御する。
【００４２】
又この特殊符号Ａを終端部１２に於いて受信すると、制御処理部１５に転送し、制御処理部１５の特殊符号処理部１６により、特殊符号Ａを識別して、リンク断情報の受信と判定し、ＭＡＣフレーム終端部１３を制御して、ＭＡＣフレームの送信を停止させる。従って、ＩＥＥＥ８０２．３準拠のオートネゴシエーションを無効としても、リンク断情報を対向伝送装置へ送出することができる。尚、特殊符号Ａの生成機能を終端部１２に設け、制御処理部１５からの制御により特殊符号Ａを生成させることができる。
【実施例８】
【００４３】
図１３は、前述の特殊符号Ａを簡易オートネゴシエーションコードとして利用し、簡易オートネゴシエーションとして使用する情報を、フレーム間ギャップ（ＩＦＧ）に於いて伝送する場合を示す。即ち、特殊符号Ａを、例えば、８Ｂ／１０ＢコードのＫ１８．１を、簡易オートネゴシエーションコードとし、その後の１バイトにより、対向装置リンク断情報、フロー制御情報、リモートフォルト情報を伝送する。従って、ＩＥＥＥ８０２．３準拠のオートネゴシエーションを無効としても、リンク断情報を対向伝送装置へ送出することができると共に、簡易オートネゴシエーションのフロー制御情報やリモートフォルト情報を伝送することができる。
【実施例９】
【００４４】
図１４は、図１３に示すフレーム間ギャップ（ＩＦＧ）に於いて送受信する簡易オートネゴシエーション情報に、前述の図４又は図７又は図１０に示すように、特殊符号Ａの後の１バイトのデータの先頭２ビットをクラス情報に割当て、クラス０〜３の何れかを設定する場合を示す。
【００４５】
本発明は、前述の各実施例のみに限定されるものではなく、種々付加変更することも可能であり、ＩＥＥＥ８０２．３準拠のコンフィギュレーションデータによるオートネゴシエーションと同様な機能をＭＡＣフレームにより実現する為の各種のビットの割当て等を適用することができる。
【図面の簡単な説明】
【００４６】
【図１】本発明の実施例１の説明図である。
【図２】ＭＡＣフレームの説明図である。
【図３】本発明の実施例１の割当ビットの説明図である。
【図４】本発明の実施例２の割当ビットの説明図である。
【図５】本発明の実施例３の専用ＭＡＣフレームの説明図である。
【図６】本発明の実施例３の割当ビットの説明図である。
【図７】本発明の実施例４の割当ビットの説明図である。
【図８】本発明の実施例５のＭＡＣフレームの説明図である。
【図９】本発明の実施例５の割当ビットの説明図である。
【図１０】本発明の実施例６の割当ビットの説明図である。
【図１１】本発明の実施例７のリンク断情報の説明図である。
【図１２】本発明の実施例７の説明図である。
【図１３】本発明の実施例８の割当ビットの説明図である。
【図１４】本発明の実施例９の割当ビットの説明図である。
【図１５】コンフィギュレーションデータの説明図である。
【符号の説明】
【００４７】
１Ａ，１Ｂ  伝送装置
２  終端部
３  ＭＡＣフレーム終端部
４  信号処理部
５  制御処理部
６  伝送路
【図１】
2005086729.tif 000003
【図２】
2005086729.tif 000004
【図３】
2005086729.tif 000005
【図４】
2005086729.tif 000006
【図５】
2005086729.tif 000007
【図６】
2005086729.tif 000008
【図７】
2005086729.tif 000009
【図８】
2005086729.tif 000010
【図９】
2005086729.tif 000011
【図１０】
2005086729.tif 000012
【図１１】
2005086729.tif 000013
【図１２】
2005086729.tif 000014
【図１３】
2005086729.tif 000015
【図１４】
2005086729.tif 000016
【図１５】
2005086729.tif 000017